(57)【特許請求の範囲】
【請求項１】
商品毎に商品番号、品名と単価が関連付けられた商品ファイルと、キー番号と前記商品番号が関連付けられたキーファイルと、を記憶し、タッチパネル表示器上に設けられた複数のプリセットキーにそれぞれ商品を識別できるデータ表示を行い、
前記商品に関するデータを登録する登録モードで、登録しようとしている商品に相当するプリセットキーが操作されると、プリセットされた商品データに基づいて商品登録を行う販売データ登録装置において、
特売の開始日時、終了日時、商品番号と特売価格が関連付けられた特売ファイルを記憶し、
前記複数のプリセットキーに共通の、価格データを含み価格確認のための第１の表示形式と、商品を識別できるデータを含み商品登録を行うための第２の表示形式を複数設け、
前記登録モードで操作され、前記第１の表示形式と前記第２の表示形式とを切り替える切替部を備え、
前記第１の表示形式に切り替えられた場合は、キーファイル、特売ファイルと現在時刻に基づいて特売商品か否かを判定し、特売商品の場合は特売価格と特売である旨の表示データを該当するプリセットキーに表示する
ことを特徴とする販売データ登録装置。
【請求項２】
前記第２の表示形式は、商品画像を含むこと
を特徴とする請求項１に記載の販売データ登録装置。
【請求項３】
前記第１の表示形式は、特売の種類の表示データを含む
ことを特徴とする請求項１または請求項２に記載の販売データ登録装置。
【発明の詳細な説明】
【技術分野】
【０００１】
本発明は、スーパーマーケットや専門店等の小売店で使用されるＰＯＳ（Ｐｏｉｎｔ  ｏｆ  ｓａｌｅ）端末等の販売データ登録装置で、特に、販売データ登録装置におけるプリセットキーの技術に関する。
【背景技術】
【０００２】
一般に  スーパーマーケットや専門店等の小売店で使用されるＰＯＳ端末等の販売データ登録装置において、予め商品データをプリセットキーに設定しておき、プリセットキーの操作により該当する商品データを呼び出して商品登録を行っている。このため、ＰＯＳ端末等の販売データ登録装置では、多くの商品を扱うためにプリセットキーが多数必要なので、１つのプリセットキーの表示面積が限られる。このため、タッチパネル上にプリセットキーを表示する販売データ登録装置では、各プリセットキーに表示する商品の名称を、例えばアスパラガスをアスパラのように短い品名に設定し、プリセットキー内で表示可能な短い名称で商品を識別できるように工夫している（例えば、特許文献１参照）。
【先行技術文献】
【特許文献】
【０００３】
【特許文献１】特許第３６５６５１０号公報
【発明の概要】
【発明が解決しようとする課題】
【０００４】
近年、各種の偽装問題等により小売店の信頼性が以前にも増して重視されているため、小売店側では販売情報の意図しない間違いを減らすべく、例えば商品データの価格が正しいか否かを、プリセットキーを１つずつ操作して商品データを読み出して金額の確認作業を定期的に行うなどしている。
しかしながら、従来の販売データ登録装置では、商品データの確認作業を行う場合、商品に対応したプリセットキーを１つずつ操作して確認するため、操作が面倒であるという課題があった。さらに、この確認作業は全てのプリセットキーについて行う必要があり、確認操作中に、例えば来客があった場合には確認操作を中断し、来客後に確認作業を再開する。このため、来客後に、どのプリセットキーから確認操作を再開するか操作者が覚えている必要があり、確認作業の確実性に課題があった。
【０００５】
このように確認作業中に来客があった場合に、すぐに来客に対応するために、例えば特許文献１の技術においては設定モードではなく登録モードで確認作業を行う必要があった。このような確認作業を行うため、商品の価格の確認作業に限らず、他の価格以外の商品データの確認作業においても、商品ごとに商品データの呼出しを行って確認する必要があるため、作業性が悪いという課題があった。
【０００６】
本発明は、上記の問題点に鑑みてなされたものであって、商品データの確認が正確に、かつ迅速に行える販売データ登録装置を提供することを目的としている。
【課題を解決するための手段】
【０００７】
本発明は、販売データ登録装置において、商品毎に商品番号、品名と単価が関連付けられた商品ファイルと、キー番号と前記商品番号が関連付けられたキーファイルと、を記憶し、タッチパネル表示器上に設けられた複数のプリセットキーにそれぞれ商品を識別できるデータ表示を行い、前記商品に関するデータを登録する登録モードで、登録しようとしている商品に相当するプリセットキーが操作されると、プリセットされた商品データに基づいて商品登録を行う販売データ登録装置において、特売の開始日時、終了日時、商品番号と特売価格が関連付けられた特売ファイルを記憶し、前記複数のプリセットキーに共通の、価格データを含み価格確認のための第１の表示形式と、商品を識別できるデータを含み商品登録を行うための第２の表示形式を複数設け、前記登録モードで操作され、前記第１の表示形式と前記第２の表示形式とを切り替える切替部を備え、前記第１の表示形式に切り替えられた場合は、キーファイル、特売ファイルと現在時刻に基づいて特売商品か否かを判定し、特売商品の場合は特売価格と特売である旨の表示データを該当するプリセットキーに表示することを特徴としている。
【００１０】
また、本発明は、販売データ登録装置において、前記第２の表示形式は、商品画像を含むことを特徴としている。
【００１１】
また、本発明は、販売データ登録装置において、前記第１の表示形式は、特売の種類の表示データを含むことを特徴としている。
【発明の効果】
【００１２】
請求項１の発明によれば、タッチパネル表示器上に設けられたプリセットキーの表示形式を登録モードで切替えできるために、登録モードで多数の商品に関して販売時の価格データをまとめて、商品に対応したプリセットキーに表示されることにより容易に確認することができる。さらに、商品データ登録のための本来の機能も維持できる。しかも、プリセットキーで特売であることも確認できる。
また、請求項２の発明によれば、販売時の通常表示形式で、プリセットキーに商品画像を表示することで、プリセットキーを間違って操作してしまうことを減少させることができ、かつ他の商品データの確認を行うこともできる。
また、請求項３の発明によれば、プリセットキーに商品の販売価格に関係が深い特売に関する情報を表示、あるいは特売の種類に関する情報を表示することで、特売あるいは特売の種類を確認できるので、商品についてより詳細な情報を確認できる。
【図面の簡単な説明】
【００１３】
【図１】本発明の一実施形態に係る販売データ登録装置の外観の一例を示した外観構成図である。
【図２】同実施形態に係る販売データ登録装置の内部構成を示すブロック図である。
【図３】同実施形態に係る商品ファイルの構成の一例を示す図である。
【図４】同実施形態に係るキーファイルの構成の一例を示す図である。
【図５】同実施形態に係る画像ファイルの構成の一例を示す図である。
【図６】同実施形態に係る特売ファイルの構成の一例を示す図である。
【図７】同実施形態に係る商品組合せファイルの構成の一例を示す図である。
【図８】同実施形態に係る販売データ処理装置１の処理手順のフローチャートである。
【図９】同実施形態に係る価格表示のフローチャートである。
【図１０】同実施形態に係る通常表示のフローチャートである。
【図１１】同実施形態に係る通常表示モードのタッチパネル画面の一例を示す図である。
【図１２】同実施形態に係る価格表示モードのタッチパネル画面の一例を示す図である。
【図１３】同実施形態に係るプリセットキー（組合せ商品）表示の一例を示す図である。
【図１４】同実施形態に係るプリセットキー（特売商品）表示の一例を示す図である。
【発明を実施するための形態】
【００１４】
以下、図１〜１４を用いて本発明の実施形態について詳細に説明する。なお、本発明は係る実施形態に限定されず、その技術思想の範囲内で種々の変更が可能である。
図１は、本実施形態における販売データ処理装置１の外観の一例を示した外観構成図である。図１（ａ）は販売データ処理装置１の正面図である。また、図１（ｂ）は販売データ処理装置１の側面図である。
【００１５】
販売データ処理装置１は、レシート発行口１０９と、スキャナ部１１０と、液晶タッチパネル１１２と、キー操作部１１４と、客用表示部１１６と、カードリーダ部１１８と、ＣＤ−ＲＯＭ読取部１２２とを備える。
【００１６】
レシート発行口１０９は、内蔵するレシート印字部（ジャーナルプリンタ）によって印刷されるレシートを排出する。スキャナ部１１０は、商品に付されたバーコードを読み取る。液晶タッチパネル１１２は、表面部に透明な接点スイッチであるタッチキーが設けられており、操作者からの入力を受け付ける。また、液晶タッチパネル１１２は、商品登録を行った商品名や合計金額などの情報を表示する。キー操作部１１４は、メカキーからなり、操作者からの入力を受け付ける。客用表示部１１６は、商品登録を行った商品や合計金額などの情報を顧客に対して表示する。カードリーダ部１１８は、クレジットカードなどの情報を読み取る。ＣＤ−ＲＯＭ読取部１２２は、ＣＤ−ＲＯＭの挿入を受け付け、挿入されたＣＤ−ＲＯＭが記憶するデータを読み取る。
【００１７】
図２は、本実施形態における販売データ処理装置１の内部構成を示すブロック図である。販売データ処理装置１は、ＣＰＵ（Ｃｅｎｔｒａｌ  Ｐｒｏｃｅｓｓｉｎｇ  Ｕｎｉｔ、中央演算処理装置）１００と、ハードディスク部１０２と、ＲＡＭ（Ｒａｎｄｏｍ  Ａｃｃｅｓｓ  Ｍｅｍｏｒｙ、ランダムアクセスメモリ）１０４と、レシート印字部１０８と、スキャナ部１１０と、液晶タッチパネル１１２と、キー操作部１１４と、客用表示部１１６と、カードリーダ部１１８と、ＣＤ−ＲＯＭ読取部１２２とを備える。また、ＣＰＵ１００は、他の構成部とシステムバス１２０により接続されており、互いにデータの入出力を行うことができる。
【００１８】
ＣＰＵ１００は、販売データ処理装置１が備える各部の制御や演算処理を行う。ハードディスク部１０２は、ＣＰＵ１００を動作させるためのプログラムや、販売データ処理装置１が用いるデータなどを記憶する。ハードディスク部１０２は、販売データ処理装置１を動作させるプログラムと、販売データ処理装置１が動作する際に用いるデータと、商品ファイルと、キーファイルと、画像ファイルと、特売ファイルに関す情報とを記憶している。ＲＡＭ１０４は半導体素子を利用した記憶装置であり、ＣＰＵ１００が制御、演算を行うためのワークエリアとして使用される。レシート印字部１０８はジャーナルプリンタであり、レシートの印字を行う。
【００１９】
図３は、本実施形態におけるハードディスク部１０２が記憶する商品ファイルの構造を説明する図である。図３のように、商品ファイルは、商品ごとに、商品番号と、品名と、単価などが関連付けられて構成されている。
【００２０】
図４は、本実施形態におけるハードディスク部１０２が記憶するキーファイルの構造を説明する図である。図４のように、キーファイルは、液晶タッチパネル１１２上に表示されるプリセットキーごとに、キー番号（Ｋ１〜Ｋｎ）とキーの種類（プリセットキー）と、キーデータ（商品番号）と、品名と、画像番号（ｂ１〜ｂｎ）が関連付けられて構成されている。
【００２１】
図５は、本実施形態におけるハードディスク部１０２が記憶する画像ファイルの構造を説明する図である。図５のように、画像ファイルは、画像番号（ｂ１〜ｂｎ）とビットマップデータが関連付けられて構成されている。
【００２２】
図６は、本実施形態におけるハードディスク部１０２が記憶する特売ファイルの構造を説明する図である。図６のように、特売ファイルは、特売の開始日時と、特売の終了日時と、商品番号と、特売価格が関連付けられて構成されている。
【００２３】
図７は、本実施形態におけるハードディスク部１０２が記憶する商品組合せファイルの構造を説明する図である。商品組合せとは、特売において、予め決められた商品同士の組合せにより、その商品に設定されている価格より安い価格が設定されている商品同士の組合せである。図７のように、商品組み合わせファイルは、特売の開催開始日時と、特売の終了日時と、組合せによる特売が成立する商品番号と、組合せによる特売が成立する商品の個数と、組合せ価格と、種別により構成されている。種別とは、商品の組合せパターンであり、例えば、Ｂはバンドル商品、Ｍはミックス商品、Ｓはセットマッチ商品を表す。また、ミックス商品とは同一商品であっても組合せ成立数であれば特売が成立する商品であり、セットマッチ商品とは対象商品全てを買うことで特売が成立する商品を言う。
【００２４】
次に、本実施形態における販売データ処理装置１の処理手順を図２と図８、図１１〜１４を用いて説明する。図８は、本実施形態における販売データ処理装置１の処理手順のフローチャートである。また、図８の処理は、ＣＰＵ１００がハードディスク部１０２に記憶されているプログラムを用いて行う。
また、図１１は、通常価格モードのタッチパネル画面１１２の一例を示す図である。図１２は、価格表示モードのタッチパネル画面１１２の一例を示す図である。
図１１および図１２のように、タッチパネル画面１１２上に表示される画面２００は画面エリア２０１と、プリセットキーが表示される画面エリア２０２と、切替キー２０３と、取消キー２０４と、他のキーや情報（現在時刻など）が表示されるエリア等で構成されている。また、画面エリア２０１は、商品情報表示エリア２１０と、商品に関する値引き情報（値下情報）の表示エリア２１１と、商品の価格表示エリア２１２と、同じ商品の個数を表示する買上点数表示アリア２１３等により構成されている。また、画面エリア２０２は、プリセットキーＫ１〜Ｋ１７により構成されている。図１１のように通常表示モードでは、各プリセットキーには、商品の画像および商品名が表示されている。また、図１２のように価格表示モードでは、プリセットキーには、商品名、販売価格、特売情報等が表示されている。また、切替キー２０３は、画面２００の表示およびプリセットキーに表示される情報などを切り替えるキーである。取消キー２０４は、入力された処理等を取り消すキーである。
【００２５】
販売データ処理装置１には、商品の登録を行う登録モードや特売情報などを設定する設定モードなどがあり、このモード切り替えは液晶タッチパネル１１２上の図示しないメインメニュー上で、例えば、登録モード・キーもしくは設定キーが選択されることで行われる。また、現在、どのモードであるかは、ＲＡＭ１０４に記憶されている。
まず、ＲＡＭ１０４に記憶されているモードを読み出し、登録モードか否かを判定する（Ｓ１）。
ステップＳ１での判定の結果、現在のモードが登録モードではないと判定した場合（Ｓ１；Ｎｏ）、他のモード、例えば設定モードなどの処理を行い（Ｓ２）、ステップＳ１に戻る。
ステップＳ１での判定の結果、現在のモードが登録モードではないと判定した場合（Ｓ１；Ｙｅｓ）、液晶タッチパネル１１２上のプリセットキーが操作される等により、商品の登録操作が行われたか否かを判定する（Ｓ３）。
【００２６】
ステップＳ３での判定の結果、登録操作が行われたと判定した場合（Ｓ３；Ｙｅｓ）、登録処理を行う（Ｓ４）。登録処理は、ハードディスク部１０２に記憶されている商品ファイルから、操作されたキーに基づく商品の単価を読み出す。さらに登録商品の価格を合計金額に加算して合計金額表示エリアに表示する。
【００２７】
登録処理終了後、精算処理を行う（Ｓ５）。精算処理は、商品購入者から預かった預り金の金額がキー操作部１１４から入力されたことを検出する。預かり金の金額の入力が検出された後、キー操作部１１４等にある締めキーの操作が行われたことを検出し、合計金額と預かり金の金額を用いて釣銭の金額を演算し、画面２００内に演算された釣銭の金額を表示する。続けて、販売データ処理装置１の図示しないドロアーを開ける指示を行い、さらにレシート印字部１０８にレシートの印字の指示を行う。以上で、一連の精算処理を終了し、ステップＳ１に戻る。
【００２８】
ステップＳ３での判定の結果、登録操作が行われていないと判定した場合（Ｓ３；Ｎｏ）、切替キーが操作されたか否かを判定する（Ｓ６）。
ステップＳ６での判定の結果、切替キー操作が行われていないと判定した場合（Ｓ６；Ｎｏ）、登録モード内の切替キーによらない他の操作、例えば商品の取り消し処理等が取消キー２０４で行われている場合、その処理を行い（Ｓ７）、ステップ１に戻る。
ステップＳ６での判定の結果、切替キー操作が行われていると判定した場合（Ｓ６；Ｙｅｓ）、ＲＡＭ１０４に記憶されているプリセットキーの表示モードを読み出し、表示モードが価格表示モードか通常表示モードかを判定する（Ｓ８）。
ステップＳ８での判定の結果、プリセットキーの表示モードが価格表示モードであると判定した場合（Ｓ８；Ｙｅｓ）、価格表示モード処理を行う（Ｓ９）。また、価格表示モード処理終了後、図１２のような表示を行い、ステップＳ１に戻る。
ステップＳ８での判定の結果、プリセットキーの表示モードが通常表示モードであると判定された場合（Ｓ８；Ｎｏ）、通常表示モード処理を行う（Ｓ１０）。また、通常表示モード処理終了後、図１１のような表示を行い、ステップＳ１に戻る。
【００２９】
次に、価格表示モード処理について、図９のフローチャートを用いて説明する。まず、複数のプリセットキーの中から１つのプリセットキーを選択する（Ｓ１０１）。
次に、ハードディスク部１０２に記憶されているキーファイルから、選択したプリセットキーに設定されている商品番号（キーデータ）を読み出す。つぎに、ハードディスク部１０２に記憶されている商品ファイルから、読み出した商品番号に対応した商品情報を読み出す（Ｓ１０２）。
次に、読み出した商品情報から、その商品が特売商品であるか否かを判定する。その商品が特売商品である場合、ハードディスク部１０２に記憶されている特売ファイルから、その商品に関する情報である特売開催開始時刻、特売終了時刻、特売価格を読み出す。読み出した情報を用いて、現在時刻が特売の開催開始時刻および終了時刻の間であり、特売が有効か無効化を判定する（Ｓ１０３）。
【００３０】
ステップＳ１０３の判定の結果、特売商品ではないと判定した場合、もしくは特売が無効の場合（Ｓ１０３；Ｎｏ）、ハードディスク部１０２に記憶されている商品組合せファイルから、その商品に関する情報である組合せ販売開催開始時刻、組合せ販売終了時刻、組合せ販売価格、組合せ販売の種別、組合せ販売の成立数を読み出す。読み出した情報を用いて、現在時刻が組合せ販売の開催開始時刻および終了時刻の間であり、組合せ販売が有効か無効かを判定する（Ｓ１０４）。
ステップＳ１０４の判定の結果、組合せ販売が有効と判定した場合（Ｓ１０４；Ｙｅｓ）、ハードディスク部１０２に記憶されている商品組合せファイルから読み出した組合せ販売で組み合わせる他の商品番号に対応する商品名を商品ファイルから読み出す。さらに、ハードディスク部１０２に記憶されている商品組合せファイルから読み出した組合せ販売価格、組合せ販売の種別、組合せ販売の成立数、商品ファイルから読み出した組合せ販売で組み合わせる他の商品名、商品ファイルから読み出したプリセットキーに対応した商品名と商品単価を、ステップＳ１０１で選択したプリセットキーに表示する（Ｓ１０５）。
図１３（ａ）は、組合せ販売の商品について、プリセットキーに価格、商品名、組合せ販売時の価格、組合せ販売を行う他の商品、組合せ販売の種別を表示した一例を示した図である。
【００３１】
ステップＳ１０４の判定の結果、組合せ販売ではないと判定した場合（Ｓ１０４；Ｎｏ）、もしくは組合せ販売が無効と判定した場合、ハードディスク部１０２に記憶されている商品ファイルから読み出した商品名と単価を、ステップＳ１０１で選択したプリセットキーに表示する（Ｓ１０６）。
図１３（ｂ）は、特売商品および組合せ販売ではない商品について、販売価格と商品名をプリセットキーに表示した一例を示した図である。
【００３２】
ステップＳ１０３の判定の結果、特売商品であり、かつ特売が有効と判定した場合（Ｓ１０３；Ｙｅｓ）、ハードディスク部１０２に記憶されている特売ファイルから読み出した特売価格、キーファイルから読み出した商品名、特売であることを表す黒丸（●）を、ステップＳ１０１で選択したプリセットキーに表示する（Ｓ１０７）。
図１４（ａ）は、特売商品について、プリセットキーに特売価格、商品名、特売であることを表す黒丸（●）を表示した一例を示した図である。
【００３３】
ステップＳ１０５かＳ１０６、もしくはＳ１０７終了後、ハードディスク部１０２に記憶されているキーファイルの全てのプリセットキーに対して、ステップＳ１０１〜Ｓ１０７の処理を行ったか否かを判定する（Ｓ１０８）。
ステップＳ１０８の判定の結果、全てのプリセットキーに対しての処理が終了していないと判定した場合（Ｓ１０８；Ｎｏ）、ステップＳ１０１に戻り、ステップＳ１０１〜Ｓ１０７の処理を繰り返す。
ステップＳ１０８の判定の結果、全てのプリセットキーに対しての処理が終了したと判定した場合（Ｓ１０８；Ｙｅｓ）、価格表示モードの一連の処理を終了して、図８のステップＳ１に戻る。
以上、一連の処理により、図１２のように、登録モードのまま、プリセットキーに特売に関する情報、組合せ販売に関する情報、一般販売に関する情報を表示する。
【００３４】
以上の登録モードでの価格表示モード処理により、図１２のように、全てのプリセットキー（Ｋ１〜Ｋ１７）の表示を図１１の通常表示モードにおける表示から、図１２の価格表示モードの表示に切り替える。さらに、ＲＡＭ１０４にプリセットキーの表示モードを価格表示モードとして記憶する。このプリセットキーに表示された情報は、例えば販売データ処理装置１のオペレータによって利用される。オペレータは、プリセットキーの表示価格と商品台帳に記載されている価格とを比較する等により、その商品価格データが正しいか否かの確認を行うことができる。あるいは、お客様から、複数の商品を購入した場合の価格について問い合わせがあった場合、このプリセットキーに表示されている情報を確認することで対応できる。
図１３〜１４は、価格表示モードにおけるプリセットキーに表示される情報の一例を示す図である。図１３は、プリセットキー（組合せ商品）表示の一例を示す図である。図１３のように、商品「きゅうり」についてのプリセットキーであり、１本の場合は９０円、２本の場合は１５０円、セットマッチ商品は「カイワレ大根（カイワレ）」であることを表している。
図１４（ａ）と（ｂ）は、プリセットキー（特売商品）表示の一例を示す図である。図１４（ａ）と（ｂ）のように、特売の種類がプリセットキーに表示されている。例えば、図１４（ａ）の「●特」は特売開始日が７月９日であり、図１４（ｂ）の「○特」は特売開始日が７月１０日等、特売日時が異なっているなどを表している。この表示を見ることで、オペレータは、例えば、７月１０日に特売品である商品「もやし」を７月９日に買いに来て、特売であると勘違いしているお客様に対して説明対応等ができる。
【００３５】
次に、通常表示モード処理について、図１０のフローチャートを用いて説明する。まず、複数のプリセットキーの中から１つのプリセットキーを選択する（Ｓ２０１）。
次に、ハードディスク部１０２に記憶されている画像ファイルから、選択したプリセットキーに対応する画像番号の画像データを読み出し、読み出した画像データを対応するプリセットキーに表示する（Ｓ２０２）。なお、画像データは、ビットマップ形式を使う場合についての例を図５の画像ファイルで説明したが、液晶タッチパネル１１２上のプリセットキーに表示可能なＪＰＥＧ形式等、他の画像形式であっても良い。
【００３６】
次に、キーファイルから読み出した商品名を、対応するプリセットキーに表示する（Ｓ２０３）。
ステップＳ２０３終了後、ハードディスク部１０２に記憶されているキーファイルの全てのプリセットキーに対して、ステップＳ２０１〜Ｓ２０３の処理を行ったか否かを判定する（Ｓ２０４）。
ステップＳ２０４の判定の結果、全てのプリセットキーに対しての処理を終了していないと判定した場合（Ｓ２０４；Ｎｏ）、ステップＳ２０１に戻り、ステップＳ２０１〜Ｓ２０３の処理を繰り返す。
ステップＳ２０４の判定の結果、全てのプリセットキーに対しての処理を終了したと判定した場合（Ｓ２０４；Ｙｅｓ）、通常表示モードの一連の処理を終了して、図８のステップＳ１に戻る。
以上、一連の処理により、図１１のように、プリセットキーに商品の画像と商品名を表示する。
【００３７】
以上の通常表示モード処理により、図１１のように、全てのプリセットキー（Ｋ１〜Ｋ１７）の表示を図１２の価格表示モードにおける表示から、図１１の通常表示モードの表示に切り替える。さらに、ＲＡＭ１０４にプリセットキーの表示モードを通常表示モードとして記憶する。オペレータにとって、図１１のように視覚的に商品を識別するために不必要な価格表示等がなく、商品を識別するために必要な商品の画像と商品名のみがプリセットキーに表示されているため、プリセットキーの識別が正確かつ迅速に行え、かつ正確な商品登録が行える。
【００３８】
なお、本実施形態では、プリセットキーに価格表示モードを通常表示モードの２つを切り替えて表示する例を説明したが、プリセットキーに表示可能なのは２つのモードに限られず、３種類以上であっても良い。この場合、例えば、切替キー２０３が操作された回数に応じて、あるいは各表示モードに対応する専用の切替キーを設け、その専用の切替キーの操作によりプリセットキーの表示モードを選択して切替えるようにしても良い。
【００３９】
また、本実施形態では、プリセットキーに、商品名、販売価格を表示する例を説明したが、他に商品に関する情報、例えば産地、メーカー名、原材料、添加物、栄養データなどを合わせて表示しても良い。
この場合、他の商品情報は、例えばハードディスク部１０２に産地情報ファイルとして記憶し、用途に応じて、必要なファイルを選択して表示するようにしても良く、あるいは、一連のプリセットキーへの表示におけるソフトウェア処理で行うようにしても良い。
【００４０】
また、本実施形態ではプリセットキーに商品情報、特売情報、組合せ販売情報などを表示する例を説明したが、組合せ販売時に、組合せ販売が成立する組合せごとにプリセットキーを色で区別するなど表示態様により、プリセットキーに対応する商品の販売形態を区別できるようにしても良い。
【００４１】
また、本実施形態では、ハードディスク部１０２に記憶する商品組合せファイルを、バンドル、ミックスマッチ、セットマッチの種別に分けて記憶する例を説明したが、これらをそれぞれ別々のファイル、例えばバンドル商品組合せファイルのようにしてハードディスク部１０２に記憶しても良い。
【００４２】
また、本実施形態では、各商品に単価がある例について説明したが、量り売りの場合、商品ファイルに例えばキログラムあたりの単価を記憶する。そして、販売データ登録装置１に図示しない秤を備え、その秤により計測された重量と、商品ファイルに記憶されている単価を用いて乗算して販売価格を算出するようにしても良い。
【００４３】
また、本実施形態では、ＣＤ−ＲＯＭを用いて新たなプログラムとデータとをハードディスク部１０２に記憶させたが、ＣＤ−ＲＯＭの代わりに、メモリカードや、ＵＳＢメモリや、ＤＶＤなどの記録媒体を用いてもよい。また、記録媒体を用いる代わりに、インタネットやＬＡＮなどを用いて、新たなプログラムとデータとをハードディスク部１０２に記憶させてもよい。
【００４４】
以上のように、登録モードで、複数のプリセットキーに表示されている商品情報を、切替キーに表示内容を切替えるようにしたので、登録モードの機能を維持しつつ、通常の表示状態以外の商品情報をまとめて容易に確認することができる。また、切替えた後の価格表示モードでは、商品の価格データを表示するようにしたので、価格の確認を迅速かつ確実に確認することが可能である。また、切替えた後の価格表示モードでは、特売情報や組合せ販売情報等を表示することで、商品の価格に関係の深い情報である特売の種類や価格について詳細かつ迅速に確認することが可能である。また、通常表示モードでは、複数のプリセットキーに、各プリセットキーに対応した商品名と商品画像を表示するようにしたので、商品情報等の確認を行いたいプリセットキー以外を操作してしまう操作ミスを減少させることが可能になる。
【符号の説明】
【００４５】
１・・・販売データ処理装置、１００・・・ＣＰＵ、１０２・・・ハードディスク部、１０４・・・ＲＡＭ、１０８・・・レシート印字部、１０９・・・レシート発行口１０９、１１０・・・スキャナ部、１１２・・・液晶タッチパネル、１１４・・・キー操作部、１１６・・・客用表示部、１１８・・・カードリーダ部、１２０・・・システムバス、１２２・・・ＣＤ−ＲＯＭ読取部、２０３・・・切替キー、２０４・・・取消キー
【図１】
0005531499.tif 000002
【図２】
0005531499.tif 000003
【図３】
0005531499.tif 000004
【図４】
0005531499.tif 000005
【図５】
0005531499.tif 000006
【図６】
0005531499.tif 000007
【図７】
0005531499.tif 000008
【図８】
0005531499.tif 000009
【図９】
0005531499.tif 000010
【図１０】
0005531499.tif 000011
【図１１】
0005531499.tif 000012
【図１２】
0005531499.tif 000013
【図１３】
0005531499.tif 000014
【図１４】
0005531499.tif 000015